(57)【要約】  落下抑制デバイスを安全ハーネスに結合するためのコネクタ。コネクタは、安全ハーネスの少なくとも１つのストラップを受け入れるように構成された空間を包囲するリングと、第１の落下抑制デバイスを受け入れるように構成された第１のコネクタ部材と、第２の落下抑制デバイスを受け入れるように構成された第２のコネクタ部材と、を含む。リングは、ラテラル部材と、ラテラル部材の第１の端部に結合された第１のサイド部材と、第１の端部とは反対側にあるラテラル部材の第２の端部に結合された第２のサイド部材と、を含む。第１のコネクタ部材は、ラテラル部材、第１のサイド部材、及び第２のサイド部材と一体的に形成される。
2020534103.tif 000002
【特許請求の範囲】
【請求項１】
複数の落下抑制デバイスを安全ハーネスに結合するためのコネクタであって、
前記コネクタは、前記安全ハーネスの少なくとも１つのストラップを受け入れるように構成された空間を包囲するリングであって、
ラテラル部材と、
前記ラテラル部材の第１の端部に結合された第１のサイド部材と、
前記第１の端部とは反対側にある前記ラテラル部材の第２の端部に結合された第２のサイド部材と、を含むリングと、
第１の落下抑制デバイスを受け入れるように構成された第１のコネクタ部材であって、前記ラテラル部材、前記第１のサイド部材、及び前記第２のサイド部材と一体的に形成されている第１のコネクタ部材と、
第２の落下抑制デバイスを受け入れるように構成された第２のコネクタ部材と、
を備える、コネクタ。
【請求項２】
前記第１のコネクタ部材が、
第１のアパーチャを含む第１の側面であって、前記第１のアパーチャが、前記ラテラル部材の上面によって画定される平面に対して実質的に垂直な平面を画定する第１の側面と、
第２のアパーチャを含む第２の側面と、
外面と、
前記第１のアパーチャから前記第２のアパーチャまで延び、前記第１のコネクタ部材の内面を露出させる中空領域であって、ファスナーを受け入れて前記第１の落下抑制デバイスを前記コネクタに結合するように構成されている中空領域と、
を備える、請求項１に記載のコネクタ。
【請求項３】
前記中空領域が、前記ラテラル部材によって画定される第２の軸に実質的に平行である第１の軸を画定する、請求項１に記載のコネクタ。
【請求項４】
前記ラテラル部材と前記第１のサイド部材との間の第１の接合部が湾曲しており、前記ラテラル部材と前記第２のサイド部材との間の第２の接合部が湾曲している、請求項１に記載のコネクタ。
【請求項５】
前記第２のコネクタ部材が、枢動可能に前記第１のコネクタデバイスに結合されている、請求項１に記載のコネクタ。
【請求項６】
前記第２のコネクタ部材が、前記中空領域によって画定される軸に実質的に垂直である軸を中心に枢動するように構成されている、請求項１に記載のコネクタ。
【請求項７】
前記第１のコネクタ部材が、前記第１のコネクタ部材の長さに沿って１つ以上の溝を含み、前記１つ以上の溝の位置における前記第１のコネクタ部材の第１の半径が、前記第１のコネクタ部材の端部における前記第１のコネクタ部材の第２の半径よりも小さい、請求項１に記載のコネクタ。
【請求項８】
前記第１のコネクタ部材が、前記第１のコネクタ部材の第１の端部における第１のフランジと、前記第１の端部とは反対側にある前記第１のコネクタ部材の第２の端部における第２のフランジと、を含む、請求項１に記載のコネクタ。
【請求項９】
前記リングが、前記第１のコネクタ部材を含む、請求項１に記載のコネクタ。
【請求項１０】
前記リングが第２のラテラル部材を含み、
前記第１のラテラル部材が第１の長手方向軸に沿って延び、前記第２のラテラル部材が第２の長手方向軸に沿って延び、
前記第１の長手方向軸が前記第２の長手方向軸に平行である、請求項１に記載のコネクタ。
【請求項１１】
前記第１のコネクタ部材の半径が、前記第１のコネクタ部材の長さに沿って実質的に均一である、請求項１に記載のコネクタ。
【請求項１２】
前記ラテラル部材が、第１のラテラル部材であり、前記コネクタが、前記第１のラテラル部材に実質的に平行な第２のラテラル部材を含み、
前記第２のラテラル部材が、前記第１のラテラル部材、前記第１のサイド部材、前記第２のサイド部材、及び前記第１のコネクタ部材と一体的に形成されており、
前記第１のラテラル部材、前記第２のラテラル部材、前記第１のサイド部材、及び前記第２のサイド部材が、前記安全ハーネスの少なくとも１つのストラップを受け入れるように構成された前記空間を包囲する、請求項１に記載のコネクタ。
【請求項１３】
前記第１のサイド部材が、前記第２のサイド部材に実質的に平行である、請求項１に記載のコネクタ。
【請求項１４】
前記第２のコネクタ部材が、前記ラテラル部材、前記第１のサイド部材、前記第２のサイド部材、及び前記第１のコネクタ部材と一体的に形成されている、請求項１に記載のコネクタ。
【請求項１５】
前記第２のコネクタ部材が、
前記第１のコネクタ部材から延びる第１のアームと、
前記第１のコネクタ部材から延びる第２のアームと、を含み、
前記第１のアームの第１の側が、前記第２のアームの第１の側に実質的に平行であり、
前記第１のアームの前記第１の側及び前記第２のアームの前記第１の側がそれぞれ、前記第１のサイド部材及び前記第２のサイド部材に実質的に平行である、請求項１に記載のコネクタ。
【請求項１６】
システムであって、
少なくとも１つのストラップを備える安全ハーネスと、
１つ以上の落下抑制デバイスを前記安全ハーネスに結合するように構成されたコネクタであって、
前記安全ハーネスの前記少なくとも１つのストラップを受け入れるように構成された空間を包囲するリングであって、
ラテラル部材と、
前記ラテラル部材の第１の端部に結合された第１のサイド部材と、
前記第１の端部とは反対側にある前記ラテラル部材の第２の端部に結合された第２のサイド部材と、
を含むリングと、
第１の落下抑制デバイスを受け入れるように構成された第１のコネクタ部材であって、前記ラテラル部材、前記第１のサイド部材、及び前記第２のサイド部材と一体的に形成されている第１のコネクタ部材と、
第２の落下抑制デバイスを受け入れるように構成された第２のコネクタ部材と、
を含むコネクタと、
を備える、システム。
【請求項１７】
前記第１の落下抑制デバイスを更に備え、前記第１の落下抑制デバイスが、前記第１のコネクタ部材内の中空領域を介して前記第１のコネクタ部材に結合するように構成されている、請求項１６に記載のシステム。
【請求項１８】
前記第２の落下抑制デバイスを更に備え、前記第２の落下抑制デバイスが、前記第２のコネクタ部材のオープニングを介して前記第２のコネクタ部材に結合するように構成されている、請求項１６に記載のシステム。
【請求項１９】
前記第１のコネクタ部材が、
第１のアパーチャを含む第１の側面であって、前記第１のアパーチャが、前記ラテラル部材の上面によって画定される平面に対して実質的に垂直な平面を画定する第１の側面と、
第２のアパーチャを含む第２の側面と、
外面と、
前記第１のアパーチャから前記第２のアパーチャまで延び、前記第１のコネクタ部材の内面を露出させる中空領域であって、ファスナーを受け入れて前記第１の落下抑制デバイスを前記コネクタに結合するように構成されている中空領域と、
を備える、請求項１６に記載のシステム。
【請求項２０】
前記中空領域が、前記ラテラル部材によって画定される第２の軸に実質的に平行である第１の軸を画定する、請求項１６に記載のシステム。
【請求項２１】
前記ラテラル部材と前記第１のサイド部材との間の第１の接合部が湾曲しており、前記ラテラル部材と前記第２のサイド部材との間の第２の接合部が湾曲している、請求項１６に記載のシステム。
【請求項２２】
前記第２のコネクタ部材が、枢動可能に前記第１のコネクタデバイスに結合されている、請求項１６に記載のシステム。
【請求項２３】
前記第２のコネクタ部材が、前記中空領域によって画定される軸に対して実質的に垂直である軸を中心に枢動するように構成されている、請求項１６に記載のシステム。
【請求項２４】
前記第１のコネクタ部材が、前記第１のコネクタ部材の長さに沿って１つ以上の溝を含み、前記１つ以上の溝の位置における前記第１のコネクタ部材の第１の半径が、前記第１のコネクタ部材の端部における前記第１のコネクタ部材の第２の半径よりも小さい、請求項１６に記載のシステム。
【請求項２５】
前記第１のコネクタ部材が、前記第１のコネクタ部材の第１の端部における第１のフランジと、前記第１の端部とは反対側にある前記第１のコネクタ部材の第２の端部における第２のフランジと、を含む、請求項１６に記載のシステム。
【請求項２６】
前記リングが、前記第１のコネクタ部材を含む、請求項１６に記載のシステム。
【請求項２７】
前記リングが、第２のラテラル部材を含み、
前記第１のラテラル部材が、第１の長手方向軸に沿って延び、前記第２のラテラル部材が、第２の長手方向軸に沿って延び、
前記第１の長手方向軸が、前記第２の長手方向軸に平行である、請求項１６に記載のシステム。
【請求項２８】
前記第１のコネクタ部材の半径が、前記第１のコネクタ部材の長さに沿って実質的に均一である、請求項１６に記載のシステム。
【請求項２９】
前記ラテラル部材が、第１のラテラル部材であり、前記コネクタが、前記第１のラテラル部材に実質的に平行な第２のラテラル部材を含み、
前記第２のラテラル部材が、前記第１のラテラル部材、前記第１のサイド部材、前記第２のサイド部材、及び前記第１のコネクタ部材と一体的に形成されており、
前記第１のラテラル部材、前記第２のラテラル部材、前記第１のサイド部材、及び前記第２のサイド部材が、前記安全ハーネスの少なくとも１つのストラップを受け入れるように構成された前記空間を包囲する、請求項１６に記載のシステム。
【請求項３０】
前記第１のサイド部材が、前記第２のサイド部材に実質的に平行である、請求項１６に記載のシステム。
【請求項３１】
前記第２のコネクタ部材が、前記ラテラル部材、前記第１のサイド部材、前記第２のサイド部材、及び前記第１のコネクタ部材と一体的に形成されている、請求項１６に記載のシステム。
【請求項３２】
前記第２のコネクタ部材が、
前記第１のコネクタ部材から延びる第１のアームと、
前記第１のコネクタ部材から延びる第２のアームと、
を含み、
前記第１のアームの第１の側が、前記第２のアームの第１の側に実質的に平行であり、
前記第１のアームの前記第１の側及び前記第２のアームの前記第１の側がそれぞれ、前記第１のサイド部材及び前記第２のサイド部材に実質的に平行である、請求項１６に記載のシステム。
【請求項３３】
複数の落下抑制デバイスを安全ハーネスに結合するためのコネクタであって、
前記コネクタは、
ラテラル部材と、
前記ラテラル部材の第１の端部に結合された第１のサイド部材と、
前記第１の端部とは反対側にある前記ラテラル部材の第２の端部に結合された第２のサイド部材と、
第１の落下抑制デバイスを受け入れるように構成された第１のコネクタ部材であって、前記ラテラル部材、前記第１のサイド部材、及び前記第２のサイド部材と一体的に形成され、前記ラテラル部材、第１のサイド部材、第２のサイド部材、及び第１のコネクタ部材が、前記安全ハーネスの少なくとも１つのストラップを受け入れるように構成された空間を包囲する第１のコネクタ部材と、
第２の落下抑制デバイスを受け入れるように構成された第２のコネクタ部材であって、中空領域によって画定される軸に対して実質的に垂直である軸を中心に枢動するように構成されている第２のコネクタ部材と、
を備える、コネクタ。
【請求項３４】
複数の落下抑制デバイスを安全ハーネスに結合するためのコネクタであって、
前記コネクタは、
前記安全ハーネスの少なくとも１つのストラップを受け入れるように構成された空間を包囲するリングであって、
第１のラテラル部材と、
第２のラテラル部材と、
前記第１のラテラル部材の第１の端部及び前記第２のラテラル部材の第１の側に結合された第１のサイド部材と、
前記第１のラテラル部材の第２の端部及び前記第２のラテラル部材の第２の側に結合された第２サイド部材と、
を含むリングと、
第１の落下抑制デバイスを受け入れるように構成された第１のコネクタ部材であって、前記リングと一体的に形成されている、第１のコネクタ部材と、
第２の落下抑制デバイスを受け入れるように構成された第２のコネクタ部材であって、枢動可能に前記第１のコネクタデバイスに結合されている第２のコネクタ部材と、
を備える、コネクタ。
【請求項３５】
複数の落下抑制デバイスを安全ハーネスに結合するためのコネクタであって、
前記コネクタは、
前記安全ハーネスの少なくとも１つのストラップを受け入れるように構成された空間を包囲するリングであって、
第１のラテラル部材と、
第２のラテラル部材と、
前記第１のラテラル部材の第１の端部及び前記第２のラテラル部材の第１の側に結合された第１のサイド部材と、
前記第１のラテラル部材の第２の端部及び前記第２のラテラル部材の第２の側に結合された第２のサイド部材と、
を含むリングと、
第１の落下抑制デバイスを受け入れるように構成された第１のコネクタ部材と、
第２の落下抑制デバイスを受け入れるように構成された第２のコネクタ部材と、
を備え、
前記リング、前記第１のコネクタ部材、及び前記第２のコネクタ部材が一体的に形成されている、コネクタ。
【発明の詳細な説明】
【技術分野】
【０００１】
本開示は、安全具、特に、落下防止システム及びデバイスに関する。
【背景技術】
【０００２】
落下防止システム及びデバイスは、潜在的に有害であるか又は生命にさえ係わる高所で作業する作業者にとって、重要な安全具である。例えば、落下時の安全確保を支援するために、作業員は、ランヤード、エネルギアブソーバ、自己巻き取り式命綱（self−retracting lifeline、ＳＲＬ）、直立コンベヤ等の落下保護具を有する支持構造体に接続された安全ハーネスを着用することが多い。作業者が支持構造体に接続されている場合、作業者は「拘束されている（tied off）」と呼ばれることがある。高所で作業するときに安全な作業条件を維持するために、作業者は、常に支持構造体に対して少なくとも１つの接続点を維持することができる。大抵の場合、作業者は、冗長な安全性を提供するために、支持構造体への２つの接続点を使用して、接続点の少なくとも１つが支持構造体に常に接続されたままになるように確保することができる。
【０００３】
落下防止システムは、作業者を支持構造体（定着部とも呼ばれる）に接続するための様々な構成要素を含んでもよい。例えば、スナップフック、カラビナ、及びクイックリンクは、作業者の安全ハーネスを支持構造体及び他の落下抑制デバイスに接続することを可能にする可動ゲートを有してもよい。
【発明の概要】
【０００４】
一般に、本開示は、危険な高さで作業するときに作業者の落下を抑制するように設計された、落下防止システムと共に使用するためのコネクタについて説明する。コネクタを使用して、１つ以上の落下抑制デバイスを、ユーザによって着用される、又はその他の形でユーザに結合される安全ハーネスに連結することができる。安全ハーネスに接続するベースから着脱可能な管状コネクタを含むいくつかのコネクタとは対照的に、本開示は、安全ハーネスの１つ以上のストラップを受け入れるように構成されたリングと、１つ以上の落下抑制デバイスを受け入れるように構成された管状コネクタ部材と、を含む管状コネクタを記載する。管状コネクタ及びリングは、単一ユニットとして一体的に形成される。単一の（例えば、分離不能な）ユニットとして管状コネクタ及びリングを形成することで、コネクタの強度を増大させ、コネクタを安全ハーネスに装着する際の操作者のエラーのリスクを低減して、作業者の安全性を向上させることができる。
【０００５】
一実施例では、本開示は、落下抑制デバイスを安全ハーネスに結合するためのコネクタを説明する。コネクタは、安全ハーネスの少なくとも１つのストラップを受け入れるように構成された空間を包囲するリングと、第１の落下抑制デバイスを受け入れるように構成された第１のコネクタ部材と、第２の落下抑制デバイスを受け入れるように構成された第２のコネクタ部材と、を含む。リングは、ラテラル部材と、ラテラル部材の第１の端部に結合された第１のサイド部材と、第１の端部とは反対側にあるラテラル部材の第２の端部に結合された第２のサイド部材と、を含む。第１のコネクタ部材は、ラテラル部材、第１のサイド部材、及び第２のサイド部材と一体的に形成される。
【０００６】
本開示の１つ以上の実施例の詳細は、添付の図面及び以下の説明で述べる。本開示の他の特徴、目的、及び利点は、説明及び図面並びに特許請求の範囲から明らかになるであろう。
【図面の簡単な説明】
【０００７】
【図１Ａ】本開示の１つ以上の態様による、例示的なコネクタを示す斜視図である。
【図１Ｂ】本開示の１つ以上の態様による、図１Ａの例示的なコネクタを示す斜視分解図である。
【図１Ｃ】本開示の１つ以上の態様による、図１Ａの例示的なコネクタを示す上面図である。
【図１Ｄ】本開示の１つ以上の態様による、図１Ａの例示的なコネクタを示す側面図である。
【図１Ｅ】本開示の１つ以上の態様による、図１Ａの例示的なコネクタを示す前面図である。
【図１Ｆ】本開示の１つ以上の態様による、図１Ａの例示的なコネクタを示す後面図である。
【図２Ａ】本開示の１つ以上の態様による、別の例示的なコネクタを示す斜視図である。
【図２Ｂ】本開示の１つ以上の態様による、図２Ａの例示的なコネクタを示す斜視分解図である。
【図２Ｃ】本開示の１つ以上の態様による、図２Ａの例示的なコネクタを示す上面図である。
【図２Ｄ】本開示の１つ以上の態様による、図２Ａの例示的なコネクタを示す側面図である。
【図３Ａ】本開示の１つ以上の態様による、別の例示的なコネクタを示す斜視図である。
【図３Ｂ】本開示の１つ以上の態様による、図３Ａの例示的なコネクタを示す上面図である。
【図３Ｃ】本開示の１つ以上の態様による、図３Ａの例示的なコネクタを示す側面図である。
【図４】落下抑制デバイスを安全ハーネスに連結する図１Ａ〜１Ｅの例示的なコネクタを含む、例示的な落下防止システムの前面図である。
【図５】落下抑制デバイスに結合するための、図１Ａ〜１Ｅの例示的なコネクタを含む例示的な落下防止システムを示す斜視図である。
【図６】落下抑制デバイスに結合するための、図１Ａ〜１Ｅの例示的なコネクタを含む例示的な落下防止システムを示す斜視図である。
【発明を実施するための形態】
【０００８】
本開示は、危険な高さで作業する個々のユーザに、落下防止を提供するために使用され得る、落下防止具と共に使用するためのコネクタ及び様々なタイプの落下防止システムを記載する。落下防止具は、一般に、落下の場合にユーザを支持構造体に固定する目的で、ユーザ（例えば、作業者）を支持構造体に接続するために使用される器具を指すことができる。落下防止具の例としては、様々なカラビナ（「ばねフック」又は「スナップフック」とも呼ばれる）、シャックル、キャリアスリーブ、安全ハーネス、自己巻き取り式命綱などの落下抑制デバイス、又はユーザを支持構造体に着脱することができる他のデバイスが挙げられる。支持構造体は、アンカー又は落下時にユーザの体重を支えることができる別の構造体を含んでもよい。いくつかの実施例では、器具の各種部品を、１つ以上のコネクタを使用して一緒に連結してもよい。例えば、ＳＲＬなどの１つ以上の落下抑制デバイスは、落下抑制デバイスを作業者の安全ハーネスの強固点に固定するように構成されたコネクタを使用して、該安全ハーネスに接続されてもよい。ユーザの安全を確保するため、コネクタは、信頼性が高く、落下の力に耐え得るものでなければならない。
【０００９】
本開示の技術は、落下抑制デバイスを受け入れるように構成された第１のコネクタ部材と、ハーネスの１つ以上のストラップを受け入れるように構成された空間を囲むリング構造体と、を含む例示的なコネクタを説明する。リング及び第１のコネクタ部材は、単一（例えば、分離不能な）構造体として一体的に形成されてもよい。いくつかの実施例では、安全ハーネスの１つ以上のストラップは、コネクタを安全ハーネスによりしっかりと結合するために、リングによって画定された空間を通ってルーティングされる。コネクタを安全ハーネス（例えば、ピン又は他のロック機構）に結合する、１つ以上の取り外し可能なピースを利用するいくつかのコネクタとは対照的に、リングと第１のコネクタ部材とを一体的に形成することで、コネクタの強度を高めることができる。いくつかの実施例では、安全ハーネスのストラップは、安全ハーネスがコネクタから分離され得ないようにコネクタに織り込まれて、安全ハーネスをコネクタに取り付ける際の、ユーザのエラーのリスクを低減することによって、ユーザの安全性を潜在的に向上させることができる。
【００１０】
図１Ａ〜１Ｆは、安全ハーネスをＳＲＬなどの１つ以上の落下抑制デバイスに接続するために使用され得る例示的なコネクタ１００の様々な図である。図示されるように、コネクタ１００は、ラテラル部材１０６と、第１のサイド部材１０８Ａ及び第２のサイド部材１０８Ｂ（まとめて、サイド部材１０８）と、第１のコネクタ部材１０４と、を含む。第１のコネクタ部材１０４は、コネクタ１００を介してシステムにストラップで繋がれ固定されている作業者の落下を抑制するように設計された落下抑制システム（例えば、自己巻き取り式命綱（ＳＲＬ）を含むシステム）を受け入れ、物理的に結合されるように構成されている。いくつかの実施例では、第１のコネクタ部材１０４は、スイベル部材１５０及び／又は第２のコネクタ部材１７０などの１つ以上の追加のコネクタを受け入れて物理的に結合させ、コネクタ１００を追加の落下抑制デバイスに更に固定することができるように構成される。ラテラル部材１０６と、サイド部材１０８と、第１のコネクタ部材１０４とによって画定される空間１１０は、コネクタ１００を操作者によって着用された安全ハーネスに固定するために使用される１つ以上のストラップ（図１Ａ〜１Ｅには示されていない）を受け入れるように構成されている。
【００１１】
ラテラル部材１０６は、サイド部材１０８Ａ及び１０８Ｂのそれぞれに結合されてもよく、サイド部材１０８Ａ及び１０８Ｂのそれぞれは、コネクタ部材１０４に結合されて、空間１１０を完全に包囲し、部分的に囲むリング１０２を形成してもよい。換言すれば、リング１０２は、空間１１０を２次元で取り巻き、空間１１０を３次元で部分的に囲んでもよい。空間１１０は、上部オープニング１１１Ａからリング１０２を通って底部オープニング１１１Ｂまで延びる、オープニング貫通リング１０２を含んでもよい。空間１１０は、操作者（図４Ｂに示される人間の操作者４１０など）によって着用された安全ハーネスにコネクタ１００を固定するために使用される１つ以上のストラップ（例えば、図４Ａ〜４Ｂに示されるストラップ４０２Ａ、４０２Ｂ）を受け入れるように構成される。
【００１２】
再び図１Ａ〜１Ｅを参照すると、いくつかの実施例では、ラテラル部材１０６、第１のサイド部材１０８Ａ、第２のサイド部材１０８Ｂ、及びコネクタ部材１０４は「一体的に形成されている」が、この「一体的に形成されているという用語の使用は、ラテラル部材１０６、サイド部材１０８Ａ及び１０８Ｂ、並びに第１のコネクタ部材１０４が、単一の物理的材料片として（例えば、分離不能に）形成され得ることを意味する。コネクタ１００は、ラテラル部材１０６、第１のサイド部材１０８Ａ、第２のサイド部材１０８Ｂ、及びコネクタ部材１０４を一体的に形成するために、鋳造、鍛造、及び／又は機械加工されてもよい。いくつかの実施例では、様々な材料を使用してコネクタ１００を作製することができる。例えば、コネクタ１００は、プラスチック（例えば、ポリ塩化ビニル（ＰＶＣ））、金属（例えば、アルミニウム）、又は他の材料などの単一材料又は様々な材料から製造され得る。
【００１３】
ラテラル部材１０６は、第１のラテラル部材端部１０７Ａと第２のラテラル部材端部１０７Ｂとの間で長手方向軸ＡＸ２に沿って延びる管状部材を含む。いくつかの実施例では、ラテラル部材１０６の断面領域は、端部１０７Ａと端部１０７Ｂとの間の長手方向軸ＡＸ２に沿って延びるラテラル部材１０６の部分に沿った、円形、楕円形、正方形、又は矩形などの特定の形状を有する。
【００１４】
ラテラル部材１０６は、上面１１２、底面１１４、外向き面１１６、及び内向き面１１８を含み、これらの面はラテラル部材１０６の長手方向軸ＡＸ２に沿って延びてもよい。いくつかの実施例では、上面１１２は、底面１１４によって画定される平坦面に実質的に平行な平面内にある平坦面を画定する。外向き面１１６の少なくとも一部は、上面１１２と底面１１４を結合するラテラル部材１０６の第１の側壁を形成し、内向き面１１８の少なくとも一部は、上面１１２と底面１１４を結合するラテラル部材１０６の第２の側壁を形成する。いくつかの実施例では、第１の側壁を形成するラテラル部材１０６の部分は、上面１１２から底面１１４まで延びる湾曲面を形成してもよい、又は他の実施例では、上面１１２及び底面１１４の両方に垂直な平面内に位置する平坦面の、少なくとも一部を有する実質的に平坦な平坦面を形成してもよい。いくつかの実施例では、内向き面１１８は、上面１１２と底面１１４を結合するラテラル部材１０６の第２の側壁を形成し、この側壁は、曲面を形成してもよく、又は上面１１２及び底面１１４の両方に垂直であり、外向き面１１６を含む平面と平行である第２の平面内に位置する平坦面の、少なくとも一部を有する実質的に平坦な平坦面を形成してもよい。
【００１５】
ラテラル部材１０６は、長さ寸法ＬＬＭ、幅寸法ＷＬＭ、及び高さ寸法ＨＬＭによって画定され得る。いくつかの実施例では、ラテラル部材１０６の高さ寸法ＨＬＭ及び幅寸法ＷＬＭは、第１の端部１０７Ａと第２の端部１０７Ｂとの間に延びるラテラル部材１０６の部分において長手方向軸ＡＸ２に沿って断面上均一であってもよい。例えば、ラテラル部材１０６は、ラテラル部材１０６の全長に沿って実質的に同じ幅であってもよい、及び／又はラテラル部材１０６の全長に沿って実質的に同じ高さであってもよい。しかしながら、場合によっては、ラテラル部材１０６の長さ寸法ＬＬＭ、幅寸法ＷＬＭ、及び／又は高さ寸法ＨＬＭの値は、均一でなくてもよい。
【００１６】
サイド部材１０８Ａは、ラテラル部材１０６の第１の端部１０７Ａに結合された遠位端１０９Ａ１と、コネクタ部材１０４の第１の端部１３０Ａに結合された近位端１０９Ａ２と、を含む。サイド部材１０８Ｂは、ラテラル部材１０６の第２の端部１０７Ｂに結合された遠位端１０９Ｂ１と、コネクタ部材１０４の第２の端部１３０Ｂに結合された近位端１０９Ｂ２と、を含む。サイド部材１０８Ａ及び１０８Ｂによってラテラル部材１０６とコネクタ部材１０４との間に形成される結合は、ラテラル部材１０６とコネクタ部材１０４との間に含まれる空間１１０を包囲し、部分的に囲むリング１０２の形状を形成する。
【００１７】
サイド部材１０８Ａは、上面１２２Ａ、底面１２４Ａ、外向き面１２６Ａ、及び内向き面１２８Ａを含んでもよい。外向き面１２６Ａの少なくとも一部は、上面１２２Ａと底面１２４Ａを結合するサイド部材１０８Ａの第１の側壁を形成し、内向き面１２８Ａの少なくとも一部は、上面１２２Ａと底面１２４Ａを結合するサイド部材１０８Ａの第２の側壁を形成する。同様に、サイド部材１０８Ｂは、上面１２２Ｂ、底面１２４Ｂ、外向き面１２６Ｂ、及び内向き面１２８Ｂを含んでもよい。外向きの１２６Ｂの少なくとも一部は、上面１２２Ｂと底面１２４Ｂを結合するサイド部材１０８Ｂの第１の側壁を形成し、内向き面１２８Ｂの少なくとも一部は、上面１２２Ｂと底面１２４Ｂを結合するサイド部材１０８Ｂの第２の側壁を形成する。
【００１８】
いくつかの実施例では、ラテラル部材１０６とサイド部材１０８の対応する各サイド部材との接合部は、湾曲面を形成してもよい。例えば、ラテラル部材の内向き面１１８とサイド部材１０８Ａの内向き面１２８Ａは、滑らかな又は丸みのある面を形成してもよい。同様に、ラテラル部材の内向き面１１８とサイド部材１０８Ｂの内向き面１２８Ｂは、滑らかな又は湾曲した面を形成してもよい。ラテラル部材１０６とサイド部材１０８との接合部における湾曲面は、ハーネスストラップがラテラル部材１０６と１つ以上のサイド部材１０８との接合部に擦り合わされる際に、ハーネスストラップの引裂きのリスクを低減することができる。いくつかの実施例では、ラテラル部材の外向き面１１６とサイド部材１０８Ａ、１０８Ｂの外向き面１２６Ａ、１２６Ｂとの接合部は、滑らかな又は丸みのある面を形成してもよい。
【００１９】
図１Ｄに示されるように、様々な実施例では、サイド部材１０８Ａの上面１２２Ａは、上面１１２Ａが遠位端１０９Ａ１からサイド部材１０８Ａの近位端１０９Ａ２まで延びるとき、サイド部材１０８Ａの長手方向軸ＡＸ４Ａから離れる方向に延びる湾曲面を形成してもよい。サイド部材１０８Ａの底面１２４Ａは、底面１２４Ａが遠位端１０９Ａ１からサイド部材１０８Ａの近位端１０９Ａ２に向かって延びる際、サイド部材１０８Ａの長手方向軸ＡＸ４Ａから離れて延びる湾曲面を形成してもよい。いくつかの実施例では、サイド部材１０８Ａの上面１２２Ａ及び底面１２４Ａによって形成される湾曲面は、長手方向軸ＡＸ４Ａ、及び長手方向軸ＡＸ４Ａに沿ったサイド部材１０８Ａの高さ寸法に関して相互に鏡像を成す。いくつかの実施例では、サイド部材１０８Ａの幅寸法ＷＳＭは、サイド部材１０８Ａが遠位端１０９Ａ１と近位端１０９Ａ２との間を延びるとき、サイド部材１０８Ａの長手方向軸ＡＸ４Ａに沿って実質的に同じ厚さを有する。いくつかの実施例では、図１Ｃに示されるように、上方からサイド部材１０８Ａの上面１２２Ａの方を見下ろしたとき、長手方向軸ＡＸ４Ａは、サイド部材１０８Ａがラテラル部材１０６に近づくにつれて、空間１１０から離れる第１の方向に延び、次いで、サイド部材１０８Ａが第１のコネクタ部材１０４に近づくにつれて、第１の方向と反対方向に延び、空間１１０に向かって戻る曲線を形成する。
【００２０】
サイド部材１０８Ａとサイド部材１０８Ｂは、互いに鏡像を成してもよい。例えば、サイド部材１０８Ｂの上面１２２Ｂは、上面１１２Ｂが遠位端１０９Ｂ１からサイド部材１０８Ｂの近位端１０９Ｂ２まで延びるとき、サイド部材１０８Ｂの長手方向軸ＡＸ４Ｂから離れて延びる湾曲面を形成してもよい。サイド部材１０８Ｂの底面１２４Ｂは、底面１２４Ｂが遠位端１０９Ｂ１からサイド部材１０８Ｂの近位端１０９Ｂ２に向かって延びるとき、サイド部材１０８Ｂの長手方向軸ＡＸ４Ｂから離れて延びる湾曲面を形成してもよい。いくつかの実施例では、サイド部材１０８Ｂの上面１２２Ｂ及び底面１２４Ｂによって形成される湾曲面は、長手方向軸ＡＸ４Ｂ、及び長手方向軸ＡＸ４Ｂに沿ったサイド部材１０８Ｂの高さ寸法に関して相互に鏡像を成す。いくつかの実施例では、サイド部材１０８Ｂの幅寸法ＷＳＭは、サイド部材１０８Ｂが遠位端１０９Ｂ１と近位端１０９Ｂ２との間を延びるとき、サイド部材１０８Ｂの長手方向軸ＡＸ４Ｂに沿って実質的に同じ厚さを有する。いくつかの実施例では、図１Ｃに示されるように、上方からサイド部材１０８Ｂの上面１２２Ｂの方を見下ろしたとき、長手方向軸ＡＸ４Ｂは、サイド部材１０８Ｂがラテラル部材１０６に近づくにつれて、空間１１０から離れる第１の方向に延び、次いで、サイド部材１０８Ｂが第１のコネクタ部材１０４に近づくにつれて、第１の方向と反対方向に延び、空間１１０に向かって戻る曲線を形成する。
【００２１】
各サイド部材１０８は、長さ寸法ＬＳＭ、幅寸法ＷＳＭ、及び高さ寸法ＨＳＭを含む。サイド部材１０８Ａ、１０８Ｂの寸法は、均一であってもよく、均一でなくてもよい。図１Ｃに示されるように、遠位端１０９Ａ１におけるサイド部材１０８Ａの幅寸法ＷＳＭの値は、近位端１０９Ａ２におけるサイド部材１０８Ａの幅寸法ＷＳＭの値よりも大きい。同様に、図１Ｃに示されるように、遠位端１０９Ｂ１におけるサイド部材１０８Ｂの幅寸法ＷＳＭの値は、近位端１０９Ｂ２におけるサイド部材１０８Ｂの幅寸法ＷＳＭの値よりも大きい。例えば、サイド部材１０８は、ラテラル部材１０６に向かうほど厚くなってもよく、第１のコネクタ部材１０４に向かって先細になってもよい。図１Ｄの例に示されるように、遠位端１０９Ａ１におけるサイド部材１０８Ａの高さ寸法ＨＳＭの値は、近位端１０９Ａ２におけるサイド部材１０８Ａの高さ寸法ＨＳＭの値よりも小さい（サイド部材１０８Ｂも同様）。しかしながら、場合によっては、サイド部材１０８の幅寸法ＷＳＭの値は、サイド部材１０８Ａの全長に沿って実質的に同じであってもよく、及び／又は高さ寸法ＨＳＭの値は、サイド部材１０８の全長に沿って実質的に同じであってもよい。
【００２２】
第１のコネクタ部材１０４は、第１のコネクタ部材１０４の第１の端部１３０Ａと第１のコネクタ部材１０４の第２の端部１３０Ｂとの間で長手方向軸ＡＸ１に沿って延びる細長い（例えば管状）構造体を含む。第１のコネクタ部材１０４の第１の端部１３０Ａは、サイド部材１０８Ａの近位端１０９Ａ２に結合し、第１のコネクタ部材１０４の第２の端部１３０Ｂは、サイド部材１０８Ｂの近位端１０９Ｂ２に結合する。第１のコネクタ部材１０４は、第１の端部１３０Ａと第２の端部１３０Ｂとの間に位置する中央部１３０Ｃを含み、この中央部は、スイベル部材１５０を受け入れ、回転可能にスイベル部材１５０に結合されてもよい。
【００２３】
第１のコネクタ部材１０４は、第１の側面１３１Ａ、第２の側面１３１Ｂ、外面１３２、及び内面１３４を含み得る。側面１３１Ａの少なくとも一部は、側面１３１Ｂの少なくとも一部によって画定される平面と実質的に平行な平面を画定してもよい。側面１３１Ａ及び側面１３１Ｂによって画定される平面（まとめて側面１３１）はそれぞれ、ラテラル部材１０６の上面１１２によって画定される平面及び／又はラテラル部材１０６の底面１１４によって画定される平面に実質的に垂直であってもよい。
【００２４】
図１に示されるように、いくつかの実施例では、第１のコネクタ部材１０４は、第１のフランジ１３６Ａ及び第２のフランジ１３６Ｂ（まとめてフランジ１３６）を含む。フランジ１３６は、第１のコネクタ部材１０４の中央部１３０Ｃ内にスイベル部材１５０の位置を維持するように構成されてもよい。フランジ１３６は、第１のコネクタ部材１０４の軸ＡＸ１の中心線から、第１のコネクタ部材１０４の半径ＲＣＭ１によって規定される値を有する距離まで延びてもよい。
【００２５】
いくつかの実施例では、第１のコネクタ部材１０４は、溝１４２Ａ及び１４２Ｂ（まとめて溝１４２）などの１つ以上の溝を含んでもよく、これらの溝は、スイベル部材１５０を受け入れ、スイベル部材１５０が回転軸ＡＸ１を中心に回転するときにスイベル部材１５０をガイドするように構成されている。溝１４２は、第１のコネクタ部材１０４の半径ＲＣＭ３を画定する隆起部１４４によって分離され得る。いくつかの実施例では、第１のコネクタ部材１０４の半径ＲＣＭ３は、第１のコネクタ部材１０４の半径ＲＣＭ１よりも小さく、半径ＲＣＭ２は、半径ＲＣＭ１及びＲＣＭ３よりも小さい。
【００２６】
側面１３１Ａは、アパーチャ１４０Ａを含み、側面１３１Ｂは、アパーチャ１４０Ｂを含む。第１のコネクタ部材１０４は、内面１３４とアパーチャ１４０Ａ及び１４０Ｂ（まとめてアパーチャ１４０）とによって画定される中空領域１３８を含む。中空領域１３８は、ラテラル部材１０６によって画定される軸ＡＸ２に平行な回転軸ＡＸ１を画定してもよい。中空領域１３８は、アパーチャ１４０Ａから第１のコネクタ部材１０４を通ってアパーチャ１４０Ｂまで延びる。中空領域１３８は、ピン、ねじ、又は他の種類のコネクタなどのコネクタ（図１Ａ〜１Ｆには示されないが、例えば、細長いコネクタ）を受け入れるように構成され得る。例えば、コネクタ１００は、（例えば、図６に示されるように）中空領域１３８を通じてＳＲＬのピンを受け入れることによって、自己巻き取り式命綱（ＳＲＬ）などの落下抑制デバイスを受け入れるように構成されてもよい。
【００２７】
再び図１Ａ〜１Ｆを参照すると、いくつかの実施例では、アパーチャ１４０は、概ね円形であり、半径ＲＡによって画定される。他の実施例では、アパーチャ１４０は、楕円形や正方形などの他の形状によって画定されてもよく、高さ寸法ＨＡ及び幅寸法ＷＡによって画定されてもよい。いくつかの実施例では、中空領域１３８は、概ね円筒形である。しかしながら、中空領域１３８は、直方柱などの任意の３次元形状であってもよい。
【００２８】
第１のコネクタ部材１０４は、長さ寸法ＬＣＭによって画定され得る。いくつかの実施例では、図１Ａに示されるように、第１のコネクタ部材１０４の長さ寸法ＬＣＭの値は、ラテラル部材１０６の長さ寸法ＬＬＭの値よりも小さい。第１のコネクタ部材１０４は、高さＨＣＭ及び幅ＷＣＭによって画定され得る。図１Ｄに示されるように、いくつかの実施例では、第１のコネクタ部材１０４の高さ寸法ＨＣＭの値は、ラテラル部材１０６の高さ寸法ＨＬＭの値よりも大きい。
【００２９】
スイベル部材１５０は、湾曲部１５４によって結合されたスイベルアーム１５２Ａ及び１５２Ｂ（まとめてスイベルアーム１５２）を含む。例えば、スイベル部材１５０は、概ねＣ字形であってもよい。スイベル部材１５０の内面１５６は、第１のコネクタ部材１０４の外面１３２に面する（例えば、隣接している）。スイベル部材１５０の外面１５８は、空間１１０の反対側のラテラル部材１０６の内向き面１１８に面する。スイベル部材１５０は、回転可能に又は枢動可能に第１のコネクタ部材１０４に結合される。例えば、スイベル部材１５０は、第１のコネクタ部材１０４の周りを回転又は旋回することができる。明確にするために、スイベル部材１５０及び第２のコネクタ部材１７０は、図１Ｅ及び１Ｆから省略されている。
【００３０】
スイベル部材１５０は、互いに実質的に位置合わせされ、リベット１６２を受け入れるように構成されたアパーチャ１６０Ａ及び１６０Ｂ（まとめてアパーチャ１６０）を含む。いくつかの実施例では、アパーチャ１６０は、スイベルアーム１５２の長さの実質的に中点に、スイベルアーム１５２の側面１５９に近接して配置される。
【００３１】
いくつかの実施例では、コネクタ１００は、落下抑制デバイスを受け入れるように構成された第２のコネクタ部材１７０を含む。第２のコネクタ部材１７０は、コネクタ部材１０４を旋回させるように結合され得る。第２のコネクタ部材１７０は、コネクタ１００に結合された落下抑制デバイスを移動させるための追加の自由度を提供するように構成されてもよい。例えば、図１Ａ〜１Ｄに示されるように、第２のコネクタ部材１７０は、リベット１６２を介して枢動可能にスイベル部材１５０に結合されてもよい。したがって、いくつかの実施例では、第２のコネクタ部材１７０は、回転軸ＡＸ１に垂直な回転軸Ａ３を中心に枢動するように構成されてもよい。
【００３２】
第２のコネクタ１７０は、上部１７２Ａと、中間部１７２Ｃと、底部１７２Ｂと、を含む概ねＣ字形の構造体を含んでもよい。図１Ｂに示されるように、上部１７２Ａは中間部１７２Ｃに結合され、底部１７２Ｂは、上部１７２Ａの反対側の中間部１７２Ｃに結合される。いくつかの実施例では、第２のコネクタ部材１７０の上部１７２Ａ及び底部１７２Ｂはそれぞれ、リベット１６２を受け入れるように構成された、それぞれのアパーチャ１７８Ａ及び１７８Ｂ（まとめてアパーチャ１７８）を含む。スイベル部材１５０のアパーチャ１６０及び第２のコネクタ部材１７０のアパーチャ１７８は、リベット１６２を受け入れるように位置合わせされる。このようにして、第２のコネクタ部材１７０は、軸ＡＸ２に垂直な軸ＡＸ３を中心に旋回することができる。
【００３３】
図２Ａ〜２Ｄは、安全ハーネスをＳＲＬなどの１つ以上の落下抑制デバイスに接続するために使用され得る例示的なコネクタ２００の様々な図である。図示されるように、コネクタ２００は、第１のラテラル部材２０６Ａ及び第２のラテラル部材２０６Ｂ（まとめてラテラル部材２０６）、第１のサイド部材２０８Ａ及び第２のサイド部材２０８Ｂ（まとめて、サイド部材２０８）、及び第１のコネクタ部材２０４を含む。第１のコネクタ部材２０４は、落下抑制システム（例えば、自己巻き取り式命綱（ＳＲＬ）を含むシステム）を受け入れ、物理的に結合するように構成され、コネクタ２００を追加の落下抑制デバイスに更に固定することができるように、第２のコネクタ部材２５０などの１つ以上の追加のコネクタを受け入れ、物理的に結合するように構成されてもよい。空間２１０は、コネクタ２００を操作者によって着用された安全ハーネスに固定するために使用される１つ以上のストラップを受け入れるように構成されている。
【００３４】
ラテラル部材２０６はそれぞれ、サイド部材２０８及び第１のコネクタ部材２０４のそれぞれに結合されてもよく、これは、空間２１０を完全に包囲し、部分的に囲むリング２０２を形成してもよい。換言すれば、リング２０２は、空間２１０を２次元で取り巻き、空間２１０を３次元で部分的に囲んでもよい。空間２１０は、ラテラル部材２０６Ａ及び２０６Ｂとサイド部材２０８Ａ及び２０８Ｂまで延びる形状を有する内部空間を含んでもよい。空間２１０は、上部オープニング２１１Ａからリング２０２を通って底部オープニング２１１Ｂまで延びるオープニングを含んでもよい。いくつかの実施例では、第２のラテラル部材２０６Ｂは、空間２１０を、ラテラル部材２０６Ｂと、サイド部材２０８の一部と、第１のコネクタ部材２０４とによって画定される第２の小さい空間２１０Ｂから分離し、空間２１０に受け入れられたストラップを、第２の空間２１０Ｂに受け入れられた第２のコネクタ部材２５０から分離することができる。
【００３５】
いくつかの実施例では、ラテラル部材２０６のサイド部材２０８と第１のコネクタ部材２０４は、一体的に形成される。コネクタ２００は、ラテラル部材２０６、サイド部材２０８、及び第１のコネクタ部材２０４を一体的に形成するために鋳造、鍛造、及び／又は機械加工されてもよい。コネクタ２００は、プラスチック（例えば、ポリ塩化ビニル（ＰＶＣ））、金属（例えば、アルミニウム）、又は他の材料などの単一材料又は様々な材料から製造され得る。
【００３６】
ラテラル部材２０６Ａは、ラテラル部材端部２０７Ａ１とラテラル部材端部２０７Ｂ１との間の長手方向軸ＡＸ２Ａに沿って延びる管状部材を含み、ラテラル部材２０６Ｂは、ラテラル部材端部２０７Ａ２とラテラル部材端部２０７Ｂ２との間の長手方向軸ＡＸ２Ｂに沿って延びる管状部材を含む。いくつかの実施例では、軸ＡＸ２Ａは、軸ＡＸ２Ｂと平行である。いくつかの実施例では、ラテラル部材２０６の断面領域は、円形、楕円形、正方形、又は矩形などの特定の形状を有する。
【００３７】
ラテラル部材２０６Ａ、２０６Ｂはそれぞれ、対応する上面２１２Ａ及び２１２Ｂ（まとめて上面２１２）、対応する底面２１４Ａ及び２１４Ｂ（まとめて底面２１４）、対応する外向き面２１６Ａ、２１６Ｂ（まとめて外向き面２１６）、及び対応する内向き面２１８Ａ、２１８Ｂ（まとめて内向き面２１８）を含んでもよい。内向き面２１８は、空間２１０に面し、外向き面２１６は、空間２１０から離れて面している。ラテラル部材２０６Ａの表面２１２Ａ、２１４Ａ、２１６Ａ、及び２１８Ａは、長手方向軸ＡＸ２Ａに沿って延び、ラテラル部材２０６Ｂの表面２１２Ｂ、２１４Ｂ、２１６Ｂ、及び２１８Ｂは、長手方向軸ＡＸ２Ｂに沿って延びる。いくつかの実施例では、上面２１２は、底面２１４によって画定される平面に実質的に平行な平面内にある平面を画定する。
【００３８】
外向き面２１６Ａの少なくとも一部は、上面２１２Ａと底面２１４Ａを結合するラテラル部材２０６Ａの第１の側壁を形成し、内向き面２１８Ａの少なくとも一部は、上面２１２Ａと底面２１４Ａを結合するラテラル部材２０６Ａの第２の側壁を形成する。同様に、外向き面２１６Ｂの少なくとも一部は、上面２１２Ｂと底面２１４Ｂを結合するラテラル部材２０６Ｂの第１の側壁を形成し、内向き面２１８Ｂの少なくとも一部は、上面２１２Ｂと底面２１４Ｂを結合するラテラル部材２０６Ｂの第２の側壁を形成する。いくつかの実施例では、対応する第１の側壁を形成するラテラル部材２０６Ａ及び２０６Ｂの部分は、上面２１２Ａ、２１２Ｂから対応する底面２１４Ａ、２１４Ｂまで延びる湾曲面を形成してもよい。いくつかの実施例では、対応する第１の側壁を形成するラテラル部材２０６Ａ及び２０６Ｂの部分は、上面２１２及び底面２１４に垂直な平面内に位置する平坦面の少なくとも一部を有する実質的に平坦な平坦面を形成してもよい。
【００３９】
いくつかの実施例では、内向き面２１８Ａは、上面２１２Ａと底面２１４Ａを結合するラテラル部材２０６Ａの第２の側壁を形成する。ラテラル部材２０６Ａの第２の側壁は、曲面を形成してもよく、又は上面２１２Ａ及び底面２１４Ａの両方に垂直な第２の平面内に位置する平坦面の少なくとも一部を有する実質的に平坦な平坦面を形成してもよい。同様に、内向き面２１８Ｂは、上面２１２Ｂと底面２１４Ｂを結合するラテラル部材２０６Ｂの第２の側壁を形成する。ラテラル部材２０６Ｂの第２の側壁は、曲面を形成してもよく、又は上面２１２Ｂ及び底面２１４Ｂの両方に垂直な第２の平面内に位置する平坦面の少なくとも一部を有する実質的に平坦な平坦面を形成してもよい。
【００４０】
いくつかの実施例では、ラテラル部材２０６のそれぞれは、長さ寸法ＬＬＭ、幅寸法ＷＬＭ、及び高さ寸法ＨＬＭによって画定される。いくつかの実施例では、ラテラル部材２０６の高さ寸法ＨＬＭ及び幅寸法ＷＬＭは、それぞれの長手方向軸ＡＸ２Ａ及びＡＸ２Ｂに沿って断面上で均一であってもよい。例えば、ラテラル部材２０６の幅寸法ＷＬＭの値は、ラテラル部材２０６の全長に沿って実質的に均一であってもよく、及び／又は高さ寸法ＨＬＭの値は、ラテラル部材２０６の全長に実質的に均一であってもよい。しかしながら、場合によっては、ラテラル部材２０６の長さ寸法ＬＬＭ、幅寸法ＷＬＭ、及び／又は高さ寸法ＨＬＭの値は、均一でなくてもよい。
【００４１】
サイド部材２０８Ａは、ラテラル部材２０６Ａの第１の端部２０７Ａに結合された遠位端２０９Ａ１と、第１のコネクタ部材２０４の第１の端部２３０Ａに結合された近位端２０９Ａ２と、を含む。いくつかの実施例では、サイド部材２０８Ａの近位端２０９Ａ２は、ラテラル部材２０６Ｂの第１の端部に結合される。サイド部材２０８Ｂは、ラテラル部材２０６の第２の端部２０７Ｂに結合された遠位端２０９Ｂ１と、第１のコネクタ部材２０４の第２の端部２３０Ｂに結合された近位端２０９Ｂ２と、を含む。いくつかの実施例では、サイド部材２０８Ｂの近位端２０９Ｂ２は、ラテラル部材２０６Ｂの第２の端部に結合される。ラテラル部材２０６Ａのサイド部材２０８Ａ、２０８Ｂと第１のコネクタ部材２０４又はラテラル部材２０６Ｂとの間に形成される結合は、空間１１０を包囲し、部分的に囲むリング２０２の形状を形成してもよい。
【００４２】
サイド部材２０８Ａは、上面２２２Ａ、底面２２４Ａ、外向き面２２６Ａ、及び内向き面２２８Ａを含んでもよい。外向き面２２６Ａの少なくとも一部は、上面２２２Ａと下面２２４Ａを結合するサイド部材２０８Ａの第１の側壁を形成し、内向き面２２８Ａの少なくとも一部は、上面２２２Ａと底面２２４Ａを結合するサイド部材２０８Ａの第２の側壁を形成する。同様に、サイド部材２０８Ｂは、上面２２２Ｂ、底面２２４Ｂ、外向き面２２６Ｂ、及び内向き面２２８Ｂを含んでもよい。外向き面２２６Ｂの少なくとも一部は、上面２２２Ｂと下面２２４Ｂを結合するサイド部材２０８Ｂの第１の側壁を形成し、内向き面２２８Ｂの少なくとも一部は、上面２２２Ｂと底面２２４Ｂを結合するサイド部材２０８Ｂの第２の側壁を形成する。
【００４３】
いくつかの実施例では、ラテラル部材２０６の特定のラテラル部材とサイド部材２０８の特定のサイド部材との接合部は、湾曲面を形成してもよい。例えば、ラテラル部材２０６Ａの内向き面２１８Ａとサイド部材２０８Ａの内向き面２２８Ａは、滑らかな又は丸みのある面を形成してもよい。同様に、ラテラル部材２０６Ａの内向き面２１８Ａとサイド部材２０８Ｂの内向き面２２８Ｂは、滑らかな又は湾曲した表面を形成してもよい。ラテラル部材２０６とサイド部材２０８との接合部における湾曲面は、ハーネスストラップが特定のラテラル部材２０６と特定のサイド部材２０８との接合部に擦り合わされる際に、ハーネスストラップの引裂きのリスクを低減することができる。いくつかの実施例では、ラテラル部材２０６の外向き面２１６とサイド部材２０８の外向き面２２６との接合部は、滑らかな又は丸みのある表面を形成してもよい。
【００４４】
各サイド部材２０８は、長さ寸法ＬＳＭ、幅寸法ＷＳＭ、及び高さ寸法ＨＳＭを含む。サイド部材２０８Ａ、２０８Ｂの寸法は、均一であっても又は均一でなくてもよい。図２Ｃに示されるように、遠位端２０９Ａ１におけるサイド部材２０８Ａの幅寸法ＷＳＭの値は、近位端２０９Ａ２におけるサイド部材２０８Ａの幅寸法ＷＳＭの値よりも大きい。同様に、図２Ｃに示されるように、遠位端２０９Ｂ１におけるサイド部材２０８ＢＡの幅寸法ＷＳＭの値は、近位端２０９Ｂ２におけるサイド部材２０８Ｂの幅寸法ＷＳＭの値よりも大きい。例えば、サイド部材２０８は、ラテラル部材２０６に向かうほど厚くなってもよく、第１のコネクタ部材２０４に向かって先細になってもよい。図２Ｄの例では、遠位端２０９Ａ１におけるサイド部材２０８Ａの高さ寸法ＨＳＭの値は、近位端２０９Ａ２におけるサイド部材２０８Ａの高さ寸法ＨＳＭの値よりも小さい（サイド部材２０８Ｂと同様である）。しかしながら、場合によっては、サイド部材２０８の幅寸法ＷＳＭの値は、サイド部材２０８Ａの全長に沿って実質的に同じであってもよく、及び／又は高さ寸法ＨＳＭの値は、サイド部材２０８の全長に沿って実質的に同じであってもよい。
【００４５】
様々な実施例では、サイド部材２０８Ａの上面２２２Ａは、上面２２２Ａが遠位端２０９Ａ１からサイド部材２０８Ａの近位端２０９Ａ２まで延びるとき、サイド部材２０８Ａの長手方向軸ＡＸ４Ａから離れて延びる湾曲面を形成してもよい。例えば、上面２２２Ａは、ラテラル部材２０６Ａとラテラル部材２０６Ｂとの間で実質的に真っ直ぐであってもよく、ラテラル部材２０６Ｂと第１のコネクタ部材２０４との間で長手方向軸ＡＸ４Ａから離れて延びてもよい。サイド部材２０８Ａの底面２２４Ａは、底面２２４Ｂが遠位端２０９Ａ１から離れてサイド部材２０８Ａの近位端２０９Ａ２に向かって延びるとき、サイド部材２０８Ａの長手方向軸ＡＸ４Ａから離れて延びる湾曲面を形成してもよい。例えば、底面２２４Ａは、ラテラル部材２０６Ａとラテラル部材２０６Ｂとの間で実質的に真っ直ぐであってもよく、ラテラル部材２０６Ｂと第１のコネクタ部材２０４との間で長手方向軸ＡＸ４Ａから離れて延びてもよい。
【００４６】
サイド部材２０８Ｂの上面２２２Ｂ及び底面２２４Ｂは、サイド部材２０８Ａのそれぞれの上面及び底面を鏡映することができる。例えば、上面２２２Ｂは、ラテラル部材２０６Ａとラテラル部材２０６Ｂとの間で実質的に真っ直ぐであってもよく、ラテラル部材２０６Ｂと第１のコネクタ部材２０４との間で長手方向軸ＡＸ４Ｂから離れて延びてもよい。同様に、底面２２４Ｂは、ラテラル部材２０６Ａとラテラル部材２０６Ｂとの間で実質的に真っ直ぐであってもよく、ラテラル部材２０６Ｂと第１のコネクタ部材２０４との間で長手方向軸ＡＸ４Ｂから離れて延びてもよい。
【００４７】
いくつかの実施例では、サイド部材２０８の高さ寸法ＨＳＭの値は、ラテラル部材２０６Ａと２０６Ｂとの間で実質的に同じであり、ラテラル部材２０６Ｂと第１のコネクタ２０４との間のそれぞれの長手方向軸ＡＸ４Ａ、ＡＸ４Ｂに沿って増加する。いくつかの実施例では、サイド部材２０８の幅寸法ＷＳＭの値は、サイド部材２０８がラテラル部材２０６Ａとラテラル部材２０６Ｂとの間に延びるとき、サイド部材２０８のそれぞれの長手方向軸ＡＸ４Ａ、ＡＸ４Ｂに沿って実質的に同じ厚さである。いくつかの実施例では、図２Ｃに示されるように、上方からサイド部材２０８の上面２２２の方を見下ろしたとき、長手方向軸ＡＸ４Ａ、ＡＸ４Ｂは、ラテラル部材２０６Ａと２０６Ｂとの間の直線と、サイド部材２０８が第１のコネクタ部材２０４に近づくにつれて、コネクタ部材２０４に向かって延びる曲線とを形成する。
【００４８】
第１のコネクタ部材２０４は、第１のコネクタ部材２０４の第１の端部２３０Ａと第１のコネクタ部材２０４の第２の端部２０３Ｂとの間で長手方向軸ＡＸ１に沿って延びる細長い（例えば管状）構造体を含む。第１のコネクタ２０４の第１の端部２３０Ａは、サイド部材２０８Ａの近位端２０９Ａ２に結合し、第１のコネクタ２０４の第２の端部２３０Ｂは、サイド部材２０８Ｂの近位端２０９Ｂ２に結合する。第１のコネクタ部材２０４は、第１の端部２３０Ａと第２の端部２３０Ｂとの間に位置する中央部２３０Ｃを含み、この中央部は、第２のコネクタ部材２５０を受け入れるように構成されている。
【００４９】
第１のコネクタ部材２０４は、第１の側面２３１Ａ、第２の側面２３１Ｂ、外面２３２、及び内面２３４を含み得る。側面２３１Ａの少なくとも一部は、側面２３１Ｂの少なくとも一部によって画定される平面と実質的に平行な平面を画定してもよい。側面２３１Ａ及び側面２３１Ｂ（まとめて側面２３１）によって画定される平面はそれぞれ、ラテラル部材２０６の上面２１２のいずれか（若しくは両方）によって画定される平面、及び／又はラテラル部材２０６の底面２１４のいずれか（若しくは両方）によって画定される平面に実質的に垂直であってもよい。
【００５０】
側面２３１Ａは、アパーチャ２４０Ａを含み、側面２３１Ｂは、アパーチャ２４０Ｂを含む。第１のコネクタ部材１０４は、内面２３６とアパーチャ２４０Ａ及び２４０Ｂ（まとめてアパーチャ２４０）とによって画定される中空領域２３８を含む。中空領域２３８は、ラテラル部材２０６Ａによって画定される軸ＡＸ２Ａ又はラテラル部材２０６Ｂによって画定される軸ＡＸ２Ｂに平行な回転軸ＡＸ１を画定してもよい。中空領域２３８は、アパーチャ２４０Ａから第１のコネクタ部材２０４を通ってアパーチャ２４０Ｂまで延びる。中空領域２３８は、ピン、ねじ、又は他の種類のコネクタなどのコネクタ（例えば、細長いコネクタ）を受け入れるように構成されてもよい。例えば、コネクタ２００は、（例えば、図６に示されるように）中空領域２３８を通してＳＲＬのピンを受け入れることによって、自己巻き取り式命綱（ＳＲＬ）などの落下抑制デバイスを受け入れるように構成されてもよい。
【００５１】
いくつかの実施例では、アパーチャ２４０は、概ね円形であり、半径ＲＡによって画定される。他の実施例では、アパーチャ２４０は、楕円形や正方形などの他の形状によって画定されてもよく、高さ寸法ＨＡ及び幅寸法ＷＡによって画定されてもよい。いくつかの実施例では、中空領域２３８は、概ね円筒形である。しかしながら、中空領域２３８は、直方柱などの任意の３次元形状であってもよい。
【００５２】
第１のコネクタ部材２０４は、長さ寸法ＬＣＭによって画定され得る。いくつかの実施例では、図２Ａに示されるように、第１のコネクタ部材２０４の長さ寸法ＬＣＭの値は、ラテラル部材２０６の長さ寸法ＬＬＭの値よりも小さい。第１のコネクタ部材２０４は、高さＨＣＭ及び幅ＷＣＭによって画定され得る。図２に示されるように、いくつかの実施例では、第１のコネクタ部材２０４の高さＨＣＭは、ラテラル部材２０６の高さＨＬＭよりも高い。第１のコネクタ部材２０４は、半径ＲＣＭ１によって画定され得る。
【００５３】
いくつかの実施例では、コネクタ２００は、スイベル部材と別個の第２のコネクタ部材と（例えば、図１Ａ〜１Ｆに示されるように、スイベル部材１５０及び第２のコネクタ部材１７０）を含む。いくつかの実施例では、図２Ａ〜２Ｄに示されるようなコネクタ２００は、回転可能に又は枢動可能に第１のコネクタ部材２０４に結合され、コネクタ２００を落下抑制デバイスに結合するように構成された第２のコネクタ部材２５０などの単一部材を含む。第２のコネクタ部材２５０の第１の端部２７０は、湾曲した中間部２７２Ｃに結合された（例えば、概ね平坦な）上部２７２Ａと、湾曲した中間部に結合された（例えば、概ね平坦な）底部２７２Ｂと、を含んでもよい。例えば、第２のコネクタ部材２５０の第１の端部２７０は、概ねＣ字形であってもよい。第１の端部２７０は、第２のコネクタ部材２５０が第１のコネクタ部材２０４の周りを旋回することができるように、空間２１０内又は副空間２１０Ｂ内に位置付けられてもよい。
【００５４】
第２のコネクタ部材２５０の第２の端部２７３は、湾曲した中間部２７４Ｃに結合された（例えば、概ね平坦な）上部２７４Ａを含んでもよい。湾曲した中間部２７４Ｃは、第１の端部２７０の底部２７２Ｂに結合することができる。上部２７４Ａ上部２７２Ａ及び底部部分２７２Ｂはそれぞれ、リベット２６２を受け入れるように構成されたアパーチャを含んでもよい。例えば、リベット２６２は、上部２７２Ａの（隠れた）アパーチャ及び底部２７２Ｂのアパーチャ２６０Ａを通って上部２７４Ａのアパーチャ２６０Ａに挿入されてもよい。
【００５５】
第２のコネクタ部材２５０は、内面２５６、外面２５８、及び側面２５９を含む。
【００５６】
第２のコネクタ部材２５０は、落下抑制デバイスを受け入れ、物理的に結合するように構成されている。例えば、第２のコネクタ部材２５０は、第１の端部２７０及び第２の端部２７３によって囲まれた空間２９０内にファスナー（例えば、カラビナ）を受け入れるように構成されてもよい。例えば、ファスナーは、第２のコネクタ部材２５０の内面２５６に近接する空間２９０を通って移動し得る。このようにして、コネクタ２００は、第１のコネクタ部材２０４及び／又は第２のコネクタ部材２５０を介して、落下抑制デバイスを受け入れ、物理的に結合されてもよい。
【００５７】
図３Ａ〜３Ｃは、安全ハーネスをＳＲＬなどの１つ以上の落下抑制デバイスに接続するために使用され得る例示的なコネクタ３００の様々な図である。図示されるように、コネクタ３００は、第１のラテラル部材３０６Ａ及び第２のラテラル部材３０６Ｂ（まとめてラテラル部材３０６Ｂ）、第１のサイド部材３０８Ａ及び第２のサイド部材３０８Ｂ（まとめて、サイド部材３０８Ｂ）、及び第１のコネクタ部材３０４を含む。第１のコネクタ部材３０４は、コネクタ３００を介してシステムにストラップで繋がれ固定されている作業者の落下を抑制するように設計された落下抑制システム（例えば、自己巻き取り式命綱（ＳＲＬ）を含むシステム）を受け入れ、物理的に結合するように構成されている。空間３１０は、コネクタ３００を操作者によって着用された安全ハーネスに固定するために使用される１つ以上のストラップを受け入れるように構成されている。
【００５８】
ラテラル部材３０６はそれぞれ、サイド部材３０８のそれぞれに結合されて、空間３１０を完全に包囲し、部分的に囲むリング３０２を形成してもよい。換言すれば、リング３０２は、空間３１０を２次元で取り巻き、空間３１０を３次元で部分的に囲んでもよい。空間３１０は、ラテラル部材３０６Ａ及び３０６Ｂとサイド部材３０８Ａ及び３０８Ｂまで延びる形状を有する内部空間を含んでもよい。空間３１０は、上部オープニング３１１Ａからリング３０２を通って底部オープニング３１１Ｂまで延びるオープニングを含んでもよい。
【００５９】
いくつかの実施例では、ラテラル部材３０６、サイド部材３０８、及び第１のコネクタ部材３０４は、一体的に形成されている。コネクタ３００は、ラテラル部材３０６、サイド部材３０８、及び第１のコネクタ部材３０４を一体的に形成するために、鋳造、鍛造、及び／又は機械加工されてもよい。コネクタ３００は、プラスチック（例えば、ポリ塩化ビニル（ＰＶＣ））、金属（例えば、アルミニウム）、又は他の材料などの単一材料又は様々な材料から製造され得る。
【００６０】
ラテラル部材３０６Ａは、ラテラル部材端部３０７Ａ１とラテラル部材端部３０７Ｂ１との間の長手方向軸ＡＸ３Ａに沿って延びる管状部材を含む。ラテラル部材３０６Ｂは、ラテラル部材端部３０７Ａ２とラテラル部材端部３０７Ｂ２との間の長手方向軸ＡＸ３Ｂに沿って延びる管状部材を含んでもよい。いくつかの実施例では、ラテラル部材３０６Ｂは、空間３１０から離れて第１のコネクタ部材３０４に向かって延び、ラテラル部材３０６Ｂを第１のコネクタ３０４に結合する突出部３０５を含んでもよい。いくつかのシナリオでは、突出部３０５は、ラテラル部材３０６Ｂ、サイド部材３０８、及び第１のコネクタ部材３０４の間にオープニングが生じないように、サイド部材３０８Ａ及び３０８Ｂに結合されてもよい。
【００６１】
いくつかの実施例では、ラテラル部材３０６の断面領域は、円形、楕円形、正方形、又は矩形などの特定の形状を有する。ラテラル部材３０６Ａ、３０６Ｂはそれぞれ、対応する上面３１２Ａ及び３１２Ｂ（まとめて上面３１２）、対応する底面３１４Ａ及び３１４Ｂ（まとめて底面３１４）、並びに対応する内向き面３１８Ａ及び３１８Ｂ（まとめて内向き面３１８）を含んでもよい。いくつかの実施例では、ラテラル部材３０６Ａは、外向き面３１６Ａを含む。内向き面３１８は空間３１０に面し、外向き面３１６は空間３１０から離れて面している。ラテラル部材３０６Ａの表面３１２Ａ、３１４Ａ、３１６Ａ及び３１８Ａは、長手方向軸ＡＸ３Ａに沿って延び、ラテラル部材３０６Ｂの表面３１２Ｂ、３１４Ｂ及び３１８Ｂは、長手方向軸ＡＸ３Ｂに沿って延びる。いくつかの実施例では、上面３１２は、底面３１４によって画定される平坦面に、実質的に平行な平面内にある平坦面を画定する。
【００６２】
外向き面３１６Ａの少なくとも一部は、上面３１２Ａと底面３１４Ａを結合するラテラル部材３０６Ａの第１の側壁を形成し、内向き面３１８Ａの少なくとも一部は、上面３１２Ａと底面３１４Ａを結合するラテラル部材３０６Ａの第２の側壁を形成する。同様に、内向き面３１８Ｂの少なくとも一部は、上面３１２Ｂと底面３１４Ｂを結合するラテラル部材３０６Ｂの側壁を形成する。いくつかの実施例では、対応する第１の側壁を形成するラテラル部材３０６Ａ及び３０６Ｂの部分は、上面３１２Ａ、３１２Ｂから対応する底面３１４Ａ、３１４Ｂまで延びる湾曲面を形成してもよい。いくつかの実施例では、対応する第１の側壁を形成するラテラル部材３０６Ａ及び３０６Ｂの部分は、上面３１２及び底面３１４に垂直な平面内に位置する平坦面の少なくとも一部を有する実質的に平坦な平坦面を形成してもよい。
【００６３】
いくつかの実施例では、内向き面３１８Ａは、上面３１２Ａと底面３１４Ａを結合するラテラル部材３０６Ａの第２の側壁を形成する。ラテラル部材３０６Ａの第２の側壁は、曲面を形成してもよく、又は上面３１２Ａ及び底面３１４Ａの両方に垂直な第２の平面内に位置する平坦面の少なくとも一部を有する実質的に平坦な平面を形成してもよい。同様に、内向き面３１８Ｂは、上面３１２Ｂと底面３１４Ｂを結合するラテラル部材３０６Ｂの第２の側壁を形成する。ラテラル部材３０６Ｂの第２の側壁は、曲面を形成してもよく、又は上面３１２Ｂ及び底面３１４Ｂの両方に垂直な第２の平面内に位置する平坦面の少なくとも一部を有する実質的に平坦な平坦面を形成してもよい。
【００６４】
いくつかの実施例では、ラテラル部材３０６のそれぞれは、長さ寸法ＬＬＭ、幅寸法ＷＬＭ、及び高さ寸法ＨＬＭによって画定される。いくつかの実施例では、ラテラル部材３０６の高さ寸法ＨＬＭ及び幅寸法ＷＬＭは、それぞれの長手方向軸ＡＸ３Ａ及びＡＸ３Ｂに沿って断面上で均一であってもよい。例えば、ラテラル部材３０６の幅寸法ＷＬＭの値は、ラテラル部材３０６の全長に沿って実質的に均一であってもよい、及び／又は高さ寸法ＨＬＭの値は、ラテラル部材３０６の全長に沿って実質的に均一であってもよい。しかしながら、場合によっては、ラテラル部材３０６の長さ寸法ＬＬＭ、幅寸法ＷＬＭ、及び／又は高さ寸法ＨＬＭの値は、均一でなくてもよい。
【００６５】
サイド部材３０８Ａは、ラテラル部材３０６の第１の端部３０７Ａに結合された遠位端３０９Ａ１と、コネクタ部材３０４の第１の端部３３０Ａに結合された近位端３０９Ａ３と、を含む。サイド部材３０８Ｂは、ラテラル部材３０６の第２の端部３０７Ｂに結合された遠位端３０９Ｂ１と、コネクタ部材３０４の第２の端部３３０Ｂに結合された近位端３０９Ｂ３と、を含む。端部材３０８Ａ及び３０８Ｂによってラテラル部材３０６とコネクタ部材３０４との間に形成される結合は、ラテラル部材３０６とコネクタ部材３０４との間に含まれる空間１３０を包囲し、部分的に囲むリング３０２の形状を形成する。
【００６６】
各サイド部材３０８は、長さ寸法ＬＳＭ、幅寸法ＷＳＭ、及び高さ寸法ＨＳＭを含む。サイド部材３０８Ａ、３０８Ｂの寸法は、均一であっても又は均一でなくてもよい。図３Ｂに示されるように、遠位端３０９Ａ１におけるサイド部材３０８Ａの幅寸法ＷＳＭの値は、近位端３０９Ａ３におけるサイド部材３０８Ａの幅寸法ＷＳＭの値とほぼ同じである。同様に、図１Ｃに示されるように、遠位端３０９Ｂ１におけるサイド部材３０８ＢＡの幅寸法ＷＳＭの値は、近位端３０９Ｂ３におけるサイド部材３０８Ｂの幅寸法ＷＳＭの値とほぼ同じである。図３Ｃの例では、サイド部材３０８の幅寸法ＷＳＭの値は、サイド部材３０８Ａの全長に沿って実質的に同じであってもよく、及び／又は高さ寸法ＨＳＭの値は、サイド部材３０８の全長に沿って実質的に同じであってもよい。しかしながら、高さ寸法ＨＳＭの値とサイド部材３０８の幅寸法ＷＳＭの値は、サイド部材３０８の長さに沿って異なっていてもよい。
【００６７】
サイド部材３０８Ａは、上面３２２Ａ、底面３２４Ａ、外向き面３２６Ａ、及び内向き面３２８Ａを含んでもよい。外向き面３２６Ａの少なくとも一部は、上面３２２Ａと下面３２４Ａを結合するサイド部材３０８Ａの第１の側壁を形成し、内向き面３２８Ａの少なくとも一部は、上面３２２Ａと下面３２４Ａを結合するサイド部材３０８Ａの第２の側壁を形成する。同様に、サイド部材３０８Ｂは、上面３２２Ｂ、底面３２４Ｂ、外向き面３３６Ｂ、及び内向き面３２８Ｂを含んでもよい。外向き面３２６Ｂの少なくとも一部は、上面３２２Ｂと下面３２４Ｂを結合するサイド部材３０８Ｂの第１の側壁を形成し、内向き面３２８Ｂの少なくとも一部は、上面３２２Ｂと底面３２４Ｂを結合するサイド部材３０８Ｂの第２の側壁を形成する。
【００６８】
様々な実施例では、サイド部材３０８Ａの上面３２２Ａは、上面３２２Ａが遠位端３０９Ａ１からサイド部材３０８Ａの近位端３０９Ａ２まで延びるとき、サイド部材３０８Ａの長手方向軸ＡＸ４Ａから離れて延びる湾曲面を形成してもよい。例えば、上面３２２Ａは、ラテラル部材３０６Ａとラテラル部材３０６Ｂとの間で実質的に真っ直ぐであってもよく、ラテラル部材３０６Ｂと第１のコネクタ部材３０４との間で長手方向軸ＡＸ４Ａから離れて延びてもよい。サイド部材３０８Ａの底面３２４Ａは、底面３２４Ｂが遠位端３０９Ａ１からサイド部材３０８Ａの近位端３０９Ａ２に向かって延びるとき、サイド部材３０８Ａの長手方向軸ＡＸ４Ａから離れて延びる湾曲面を形成してもよい。例えば、上面３２４Ａは、ラテラル部材３０６Ａとラテラル部材３０６Ｂとの間で実質的に真っ直ぐであってもよく、ラテラル部材３０６Ｂと第１のコネクタ部材３０４との間で長手方向軸ＡＸ４Ａから離れて延びてもよい。
【００６９】
サイド部材３０８Ｂの上面３２２Ｂ及び底面３２４Ｂは、サイド部材３０８Ａのそれぞれの上面及び底面を鏡映することができる。例えば、上面３２２Ｂは、ラテラル部材３０６Ａとラテラル部材３０６Ｂとの間で実質的に真っ直ぐであってもよく、ラテラル部材３０６Ｂと第１のコネクタ部材３０４との間で長手方向軸ＡＸ４Ｂから離れて延びてもよい。同様に、底面３２４Ｂは、ラテラル部材３０６Ａとラテラル部材３０６Ｂとの間で実質的に真っ直ぐであってもよく、ラテラル部材３０６Ｂと第１のコネクタ部材３０４との間で長手方向軸ＡＸ４Ｂから離れて延びてもよい。
【００７０】
第１のコネクタ部材３０４は、第１のコネクタ部材３０４の第１の端部３３０Ａと第１のコネクタ部材３０４の第２の端部３３０Ｂとの間で長手方向軸ＡＸ１に沿って延びる細長い（例えば管状）構造体を含む。第１のコネクタ３０４の第１の端部３３０Ａは、サイド部材３０８Ａの近位端３０９Ａ２に結合し、第１のコネクタ３０４の第２の端部３３０Ｂは、サイド部材３０８Ｂの近位端３０９Ｂ２に結合する。第１のコネクタ３０４は、第１の端部３３０Ａの間に位置する中央部３３０Ｃを含む。
【００７１】
第１のコネクタ部材３０４は、第１の側面３３１Ａ、第２の側面３３１Ｂと、外面３３２、及び内面３３４を含み得る。側面３３１Ａの少なくとも一部は、側面３３１Ｂの少なくとも一部によって画定される平面と実質的に平行な平面を画定してもよい。側面３３１Ａ及び側面３３１Ｂによって画定される平面（まとめて側面３３１）はそれぞれ、ラテラル部材３０６の上面３１２のいずれか（若しくは両方）によって画定される平面、及び／又はラテラル部材３０６の底面３１４のいずれか（若しくは両方）によって画定される平面に実質的に垂直であってもよい。
【００７２】
側面３３１Ａはアパーチャ３４０Ａを含み、側面３３１Ｂはアパーチャ３４０Ｂを含む。第１のコネクタ部材３０４は、内面３３６及びアパーチャ３４０Ａ及び３４０Ｂ（まとめてアパーチャ３４０）によって画定される中空領域３３８を含む。中空領域３３８は、ラテラル部材３０６Ａによって画定される軸ＡＸ２Ａ又はラテラル部材３０６Ｂによって画定される軸ＡＸ２Ｂに平行な回転軸ＡＸ１を画定してもよい。中空領域３３８は、アパーチャ３４０Ａから第１のコネクタ部材３０４を通ってアパーチャ３４０Ｂまで延びる。中空領域３３８は、ピン、ねじ、又は他の種類のコネクタなどのコネクタ（例えば、細長いコネクタ）を受け入れるように構成されてもよい。例えば、コネクタ３００は、（例えば、図６に示されるように）中空領域３３８を通してＳＲＬのピンを受け入れることによって、自己巻き取り式命綱（ＳＲＬ）などの落下抑制デバイスを受け入れるように構成されてもよい。
【００７３】
いくつかの実施例では、アパーチャ３４０は概ね円形であり、半径ＲＡによって画定される。他の実施例では、アパーチャ３４０は、楕円形や正方形などの他の形状によって画定されてもよく、高さ寸法ＨＡ及び幅寸法ＷＡによって画定されてもよい。いくつかの実施例では、中空領域３３８は、概ね円筒形である。しかしながら、中空領域３３８は、直方柱などの任意の３次元形状であってもよい。
【００７４】
第１のコネクタ部材３０４は、長さ寸法ＬＣＭによって画定され得る。いくつかの実施例では、図３Ａに示されるように、第１のコネクタ部材３０４の長さ寸法ＬＣＭの値は、ラテラル部材３０６の長さ寸法ＬＬＭの値よりも小さい。第１のコネクタ部材３０４は、高さＨＣＭ及び幅ＷＣＭによって画定され得る。図３に示されるように、いくつかの実施例では、第１のコネクタ部材３０４の高さ寸法ＨＣＭの値は、ラテラル部材３０６の高さ寸法ＨＬＭの値よりも大きい。第１のコネクタ部材３０４は、半径ＲＣＭによって画定され得る。
【００７５】
いくつかの実施例では、コネクタ３００は、第２のコネクタ部材３７０を含む。第２のコネクタ部材３７０は、第１のコネクタ部材３０４、ラテラル部材３０６、及びサイド部材３０８と一体的に形成されてもよい。換言すれば、いくつかの実施例では、第２のコネクタ部材３７０、第１のコネクタ部材３０４、ラテラル部材３０６、及びサイド部材３０８は、単一の（例えば、分離不能な）構造体を形成する。
【００７６】
第２のコネクタ部材３７０は、落下抑制デバイスを受け入れるように構成された少なくとも１つのアームを含む。図３Ａ〜３Ｃに示されるように、第２のコネクタ部材３７０は、第１のコネクタ３０４に結合され、第１のコネクタから離れるように延びるアーム３７２Ａ及び３７２Ｂ（まとめてアーム３７２）を含む。しかしながら、いくつかの実施例では、第２のコネクタ部材３７０は、より多い又はより少ないアーム３７２を含んでもよい。
【００７７】
いくつかの実施例では、アーム３７２は、概ねＣ字形である。例えば、アーム３７２Ａは、中間部３７５Ａに結合された上部湾曲部３７４Ａと、中間部３７５Ａに結合された、上部３７４Ａの反対側にある底部湾曲部３７６Ａと、を含んでもよい。同様に、アーム３７２Ｂは、中間部３７５Ｂに結合された上部湾曲部３７４Ｂと、中間部３７５Ｂに結合された、上部３７４Ｂの反対側にある底部湾曲部３７６Ｂと、を含んでもよい。アーム３７２Ａの上部３７４Ａは、アーム３７２Ａの底部３７６Ａが第１のコネクタ部材３０４に接続する位置の上方で第１のコネクタ部材３０４に接続する。同様に、アーム３７２Ｂの上部３７４Ｂは、アーム３７２Ｂの底部３７６Ｂが第１のコネクタ部材３０４に接続する位置の上方で第１のコネクタ部材３０４に接続する。
【００７８】
アーム３７２Ａは、軸ＡＸ１に垂直な長手方向軸ＡＸ５Ａに沿って第１のコネクタ部材３０４から離れて延びる。同様に、アーム３７２Ｂは、軸ＡＸ１に垂直で軸ＡＸ５Ａに平行な長手方向軸ＡＸ５Ｂに沿って、第１のコネクタ部材３０４から離れて延びる。いくつかの実施例では、アーム３７２Ｂは、第１のコネクタ部材３０４の、空間３１０、ラテラル部材３０６、及びサイド部材３０８とは反対にある側で第１のコネクタ部材３０４に結合する。
【００７９】
アーム３７２Ａは、前面３７８Ａ、後面３８０Ａ、外面３８２Ａ、及び内面３８４Ａを含む。外面３８２Ａは、アーム３７２Ａの上部湾曲部３７４Ａ、中間部３７４Ｃ、及び底部湾曲部３７４Ｂの外側に沿って延びてもよい。同様に、内面３８４Ａは、アーム３７２Ａの上部湾曲部３７４Ａ、中間部３７５Ａ、及び底部湾曲部３７６Ａの内側に沿って延びる。外面３８２Ａの少なくとも一部は、前面３７８Ａと後面３８０Ａを結合する外壁を形成し、内面３８４Ａの少なくとも一部は、前面３７８Ａと後面３８０Ａを結合する内壁を形成する。
【００８０】
同様に、アーム３７２Ｂは、前面３７８Ｂ、後面３８０Ｂ、外面３８２Ｂ、及び内面３８４Ｂを含む。外面３８２Ｂは、アーム３７２Ｂの上部湾曲部３７４Ｂ、中間部３７５Ｂ、及び底部湾曲部３７６Ｂの外側に沿って延びてもよい。同様に、内面３８４Ｂは、アーム３７２Ｂの上部湾曲部３７４Ｂ、中間部３７５Ｂ、及び底部湾曲部３７６Ｂの内側に沿って延びる。外面３８２Ｂの少なくとも一部は、前面３７８Ｂと後面３８０Ｂを結合する外壁を形成し、内面３８４Ｂの少なくとも一部は、前面３７８Ｂと後面３８０Ｂを結合する内壁を形成する。
【００８１】
アーム３７２は、第１のコネクタ部材３０４の長さに沿って互いに離隔している。例えば、アーム３７２Ａの後面３８０Ａは、アーム３７２Ｂの前面３７８Ｂに対向してもよく、後面３８０Ａと前面３７８Ｂとの間の距離は、距離Ｄであってもよい。いくつかの実施例では、距離Ｄは、ＳＲＬのスイベルアイがアーム３７２間に嵌合できる程度に大きく、単一のカラビナ又は他のコネクタがアーム３７２の両方に結合できる程度に小さい。
【００８２】
アーム３７２Ａ、３７２Ｂはそれぞれ、アーム３７２Ａ、３７２Ｂのそれぞれの内面３８４Ａ、３８４Ｂを露出させる、対応するオープニング３８５Ａ、３８５Ｂ（まとめてオープニング３８５）を含む。オープニング３８５は、接続デバイス（例えば、カラビナ）を受け入れるように構成されている。例えば、オープニング３８５は、幅寸法ＷＯＰＥＮ及び高さ寸法ＨＯＰＥＮを有する特定の形状によって画定され得る。いくつかの実施例では、図３Ａに示されるように、オープニング３８５は、概ね楕円形（例えば、概ね楕円形）である。しかしながら、オープニング３８５は、任意の形状であってもよい。いくつかの実施例では、コネクタ３００は、オープニング３８５を介して落下デバイスを受け入れて、結合されてもよい。例えば、デバイス（例えば、カラビナ）は、オープニング３８５を通ってアーム３７２の外側の周囲に挿入されて、コネクタ３００を落下抑制デバイスと結合することができる。
【００８３】
このようにして、コネクタ３００は、第１のコネクタ部材３０４及び／又は第２のコネクタ部材３７０を介して、落下抑制デバイス（例えば、ＳＲＬ）を受け入れ、結合することができる。
【００８４】
図４は、落下抑制デバイスを安全ハーネスに連結する例示的なコネクタを含む、例示的な落下防止システム４００の前面図である。図４に示されるように、システム４００は、図１Ａ〜１Ｆのコネクタ１００を含む。しかしながら、システム４００は、図１Ａ〜１Ｆ、２Ａ〜２Ｄ、又は３Ａ〜３Ｃに示されるコネクタ１００、２００、又は３００のいずれかを含んでもよい。
【００８５】
システム４００は、コネクタ１００に結合されたハーネス４０１を含む。ハーネス４０１は、操作者４１０（例えば、作業者）によって着用されてもよい。ハーネス４０１は、操作者４１０に固定されたストラップ４０２Ａ及び４０２Ｂ（まとめてストラップ４０２）などの１つ以上のストラップを含んでもよい。ハーネス４０１は、落下抑制システムの一部としてコネクタ１００と共に使用され得る安全ハーネスの一例であり、落下抑制システムにおいてコネクタ１００と共に使用され得る多くの他の種類のハーネスが存在し得る。
【００８６】
図４に示されるように、コネクタ１００は、第１のコネクタ部材１０４と、ラテラル部材１０６と、サイド部材１０８Ａ及び１０８Ｂとによって形成されたリング１０２を含む。リング１０２は、ハーネス４０１の一部として含まれるストラップ４０２を受け入れるように構成された空間１１０を包囲する。いくつかの実施例では、ストラップ４０２は、第１のコネクタ部材１０４、スイベル部材１５０、及び第２のコネクタ部材１７０の下方で、ラテラル部材１０６にわたって位置付けられる。換言すれば、ストラップ４０２のうちの１つ以上は、コネクタ１００の空間１１０を通ってルーティングされ得る。ストラップ４０２Ａと４０２Ｂは互いに交差してもよく、これはコネクタ１００をハーネス４０１、ひいては操作者４１０に固定するのに役立ち得る。
【００８７】
図５は、例示的なコネクタ及び落下抑制デバイスを含む、例示的な落下防止システム５００の斜視図である。図５に示されるように、システム５００は、図１Ａ〜１Ｆのコネクタ１００を含む。しかしながら、システム５００は、図１Ａ〜１Ｆ、２Ａ〜２Ｄ、又は３Ａ〜３Ｃに示されるコネクタ１００、２００又は３００のいずれかを含んでもよい。システム５００は、ファスナー５８０（例えば、カラビナ）及び落下抑制デバイス５９０を更に含む。落下抑制デバイス５９０は、ＳＲＬ５９２、接続リング５９４、命綱５９６、エネルギー吸収システム５９８、及び支持構造コネクタ５９９を含む。
【００８８】
図５の例では、コネクタ１００は、第２のコネクタ部材１７０を介して落下抑制デバイスを受け入れるように構成されてもよい。例えば、ファスナー５８０は、第２のコネクタ部材１７０が包囲する空間を通して挿入されてもよい。接続リング５９４は、締着具５８０の一部分を受け入れるように構成されてもよく、一方、コネクタデバイス５８９の別の部分は、第２の接続部材１７０が包囲する空間に受け入れられ、落下抑制デバイス５９０をコネクタ１００、ひいては安全ハーネスに旋回可能に結合するように構成されている。
【００８９】
図６は、落下抑制デバイスに結合するための、図１Ａ〜１Ｆの例示的なコネクタを含む例示的な落下防止システムの斜視図である。図６に示されるように、システム６００はコネクタ１００を含む。しかしながら、システム６００は、図１Ａ〜１Ｆ、２Ａ〜２Ｄ、又は３Ａ〜３Ｃに示されるコネクタ１００、２００又は３００のいずれかを含んでもよい。システム６００は、落下抑制デバイス６９０を更に含む。
【００９０】
いくつかの実施例では、落下抑制デバイス６９０は、取付けロッド６８２と、二重ＳＲＬシステム６９４をコネクタ１００に結合するように構成されたＳＲＬコネクタ６８０と、を含む。二重ＳＲＬシステム６９４は、一対のＳＲＬ６９４Ａ、６９４Ｂ、命綱６９６Ａ及び６９６Ｂ、並びに支持構造コネクタ６９８Ａ及び６９８Ｂを含む。コネクタ１００の第１のコネクタ部材１０４は、取付けロッド６８２を受け入れて、コネクタ１００を落下抑制デバイス６９０に結合するように構成されている。
【００９１】
本明細書で使用するとき、第１、第２、又は第３要素などの表記は、１つの要素を別の要素と単に区別するために使用される。それらの用語は、定量的な意味で使用されることはなく、存在する要素の総数を意味若しくは制限するために使用されることも、又は記載されたデバイスの番号付き要素の特定の順序を意味するために使用されることもない。同様に、上、底、側などの言及は、様々な要素の相対位置を示すために使用され、要素の向きを限定することを意図するものではない。
【００９２】
本開示の１つ以上の実施例の詳細は、添付の図面及び以下の説明で述べる。本開示の他の特徴、目的、及び利点は、説明及び図面並びに特許請求の範囲から明らかになるであろう。
【図１Ａ】
2020534103.tif 000003
【図１Ｂ】
2020534103.tif 000004
【図１Ｃ】
2020534103.tif 000005
【図１Ｄ】
2020534103.tif 000006
【図１Ｅ】
2020534103.tif 000007
【図１Ｆ】
2020534103.tif 000008
【図２Ａ】
2020534103.tif 000009
【図２Ｂ】
2020534103.tif 000010
【図２Ｃ】
2020534103.tif 000011
【図２Ｄ】
2020534103.tif 000012
【図３Ａ】
2020534103.tif 000013
【図３Ｂ】
2020534103.tif 000014
【図３Ｃ】
2020534103.tif 000015
【図４】
2020534103.tif 000016
【図５】
2020534103.tif 000017
【図６】
2020534103.tif 000018
【国際調査報告】
2020534103.tif 000019
2020534103.tif 000020
2020534103.tif 000021
2020534103.tif 000022